(57)【要約】【課題】  本考案は、従来手に持って使用した手鏡を、手の指に吊り下げて装着させることを特徴として、手鏡を手に装着させながら、両手の指全てを使える手鏡を可能にする。【解決手段】  本考案は、手の指の１〜４本を挿入又は挟む等することができる空隙部を持ったリング又は略リング状又は三角等適宜形状の引掛部を形成し、その引掛部を手鏡の上方に装着し、手の指に手鏡を吊り下げることで手に装着する。従って、手や指の大きさの個人差に係わらず、手の指の１〜４本を空隙部に通すという簡単な動作で、手鏡を手に吊り下げて装着でき、生活利便の向上に役に立つ。【選択図】  図５
0003116994.tif 000002
【実用新案登録請求の範囲】
【請求項１】
手鏡の上方に、手の指１〜４本を挿入又は挟んで手の指から吊り下げることができる空隙部を持つ、リング又は略リング状又は三角等適宜形状の引掛部を装着した、手に装着する手鏡。
【請求項２】
請求項１の引掛部を、ひもやゴム等適宜素材を用いてリング又は略リング状に形成し、手鏡の上方の装着した、請求項１の手に装着する手鏡。
【請求項３】
請求項１の引掛部を、プラスチック、針金等適宜素材を用いて、リング又は略リング状又は三角等適宜形状に形成し、手鏡の上方に装着するか、又はその引掛部を手鏡と一体化した、請求項１の手に装着する手鏡。
【請求項４】
請求項１の引掛部を、プラスチック、針金等適宜素材を用いて、リング又は略リング状又は三角等適宜形状に形成して、手鏡の上方に装着し、引掛部が上下反転して収納可能な形状の、請求項１の手に装着する手鏡。
【請求項５】
請求項１の引掛部を、プラスチック、針金等適宜素材を用いて、リング又は略リング状又は三角等適宜形状に形成して、手鏡の上方に装着し、引掛部が上下スライドして収納可能な形状の、請求項１の手に装着する手鏡。
【請求項６】
請求項１の引掛部を、プラスチック、針金等適宜素材を用いて、リング又は略リング状又は三角等適宜形状に形成して、手鏡の上方に装着し、引掛部が伸縮できるよう、短い棒状の素材をつなぎ合わせた構造で収納可能な形状の、請求項１の手に装着する手鏡。
【考案の詳細な説明】
【技術分野】
【０００１】  本考案は、手の指の１〜４本を挿入又は挟む等することができる空隙部を持ったリング又は略リング状の引掛部を形成し、その引掛部を手鏡に装着し、手の指を空隙部に通して手鏡を吊り下げることで手に手鏡を装着できることを特徴とした、手鏡である。
【背景技術】
【０００２】  従来の手鏡は、手に持って使用する為、手鏡を持つ手の指は、手鏡を持っている間、使用することが不便だった。しかし、手鏡を手に持って化粧やコンタクトレンズを嵌める等する際は、できるだけ多くの指を自由に使いたいにも係わらず、両手の全ての指が自由に使えて、使いやすい手鏡はなかった。
【考案の開示】
【考案が解決しようとする課題】
【０００３】  従来の手鏡は、手に持って使用する為、手鏡を持つ手の指が自由に使えなかった。従って、手の指１〜４本を挿入又は挟む等して、手の指に手鏡を吊り下げることで、手鏡を手に装着することにより、手鏡を手に装着した状態で、両手の全ての指が自由に使えることを実現し、前述の欠点を解決するものである。
【課題を解決するための手段】
【０００４】  本考案は、手の指１〜４本を挿入又は挟む等して、手の指から手鏡を吊り下げることのできる空隙部を持つ、リング又は略リング状又は三角等適宜形状の引掛部を、手鏡の上方に、装着する。引掛部の形状は、ひもやゴム等適宜素材を用いてリング又は略リング状にし、手の指を挿入して吊り下げる形状、又は、プラスチック、針金等適宜素材を用いた、リング又は略リング状又は三角等適宜形状の引掛部を装着するか又は手鏡と一体化した形状、又は、プラスチック、針金等適宜素材を用いたリング又は略リング状又は三角等適宜形状の引掛部で、引掛部が上下反転する等して収納可能な形状、又は、引掛部が上下にスライドして収納できる形状である。
又、引掛部に指を通して手鏡を手に装着した際、手鏡下方は、掌に接触し、手鏡本体を安定させて固定することができる。
手の指１〜４本を用いるだけなので、挿入又は挟む動作が少なく、手や指等の大きさの個人差に係わらず空隙部を設けることができ、動作が楽で、汎用性が高く、使いやすい手鏡を実現し、前述の欠点を解決するものである。
【考案の効果】
【０００５】  上述の様に、本考案の手に装着する手鏡は、簡単な動作で手鏡を手に装着することができ、手や指等の大きさの個人差に係わらず、誰でも使用することができる。又、手鏡を手に装着できれば、化粧をしたりコンタクトレンズを嵌める等する際、手鏡を手に吊り下げて装着した状態で、両手の全ての指を自由に使うことができる。さらに、手の指等が不自由な人でも、簡単に手鏡を装着でき、使用することができる。よって、主に化粧をする際や、コンタクトレンズを嵌める等する際の生活利便の向上等に役に立つ。
【考案を実施するための最良の形態】
【０００６】  手鏡の上方に、手の指１〜４本を挿入又は挟んで手の指から吊り下げることができる空隙部を持つ、リング又は略リング状又は三角等適宜形状の引掛部を装着する。
【実施例１】
【０００７】  以下本考案を限定することを目的としない、本考案の実施例１を、添付図面１に従って説明する。本実施例は、ひもやゴム等適宜素材を用いたリング又は略リング状の引掛部を接着する場合である。まず、ひもやゴム等適宜素材を用いて、手の指１〜４本を挿入して吊り下げることができる空隙部を持つリング又は略リング状に形成する。リング状の場合、手鏡本体の背面に接着しやすくする為、角パイプ等平面を持ったパイプに通す等して平面部分を作り、その平面部分を手鏡本体の上方に接着する。略リング状の場合、手の指１〜４本が挿入できる空隙部を形成した後、その両端部を直接鏡に接着したり、あて布をして接着したり、適宜な間隔を開けた２つの穴を設け、それぞれの端部をその穴に通して結んでもよい。
最初に設けた空隙部に手の指を１〜４本が挿入し、手鏡を指に吊り下げて使用する。
【実施例２】
【０００８】  以下本考案を限定することを目的としない、本考案の実施例２を、添付図面２に従って説明する。本実施例は、プラスチック、針金等適宜素材を用いた、リング又は略リング状又は三角等適宜形状の引掛部を装着又は手鏡と一体化した形状の場合である。まず、プラスチック、針金等適宜素材を用いて、手の指１〜４本を挿入し吊り下げることのできる空隙部を持つ、リング又は略リング状の引掛部を形成する。引掛部は、手鏡の上方に装着する。又、リング又は略リング状の引掛部と手鏡を一体化して形成してもよい。
最初に設けた空隙部に手の指を１〜４本が挿入し、手鏡を指に吊り下げて使用する。
【実施例３】
【０００９】  以下本考案を限定することを目的としない、本考案の実施例３を、添付図面３に従って説明する。本実施例は、プラスチック、針金等適宜素材を用いたリング又は略リング状又は三角等適宜形状の引掛部で、引掛部が上下反転する等して収納可能な形状の場合である。まず、プラスチック、針金等適宜素材を用いて、手の指１〜４本を挿入して吊り下げることが空隙部を持つ、リング又は略リング状又は三角等適宜形状の引掛部を形成する。引掛部の下方を鏡の上方に装着する際、装着部分は引掛部が上下反転できるよう引掛部の端部を回転可能にする等して、折り畳むことができるようにする。
最初に設けた空隙部に手の指を１〜４本が挿入し、手鏡を指に吊り下げて使用する。【００１０】  さらに、引掛部は収納するため、伸縮できる素材を用いたり、伸縮できるよう、短い棒状の素材をつなぎ合わせた構造にしてもよい。
【実施例４】
【００１１】  以下本考案を限定することを目的としない、本考案の実施例４を、添付図面４に従って説明する。本実施例は、プラスチック、針金等適宜素材を用いたリング又は略リング状又は三角等適宜形状の引掛部で、引掛部が上下反転する等して収納可能な形状の場合である。まず、プラスチック、針金等適宜素材を用いて、手の指１〜４本を挿入して吊り下げることが空隙部を持つ、略リング状又は三角等適宜形状の引掛部を形成する。引掛部の下方を鏡の上方に装着する際、引掛部が上下にスライドし、手鏡の内部又は背面等に収納できるように、スライドの為の溝を設ける。
使用する際は、引掛部を引き出し、最初に設けた空隙部に手の指を１〜４本が挿入し、手鏡を指に吊り下げて使用する。【００１２】  本考案の一実施例は上述の如き構成からなるものであるから、手の指１〜４本を用いて、手鏡を手に装着し、手鏡を手に装着した状態で、両手の指全てを自由に使えることを可能にした。
【図面の簡単な説明】
【００１３】
【図１】手に装着する手鏡の実施例１の、（ａ）正面図、（ｂ）背面図
【図２】手に装着する手鏡の実施例２の、（ａ）正面図、（ｂ）使用例の正面図
【図３】手に装着する手鏡の実施例３の背面図
【図４】手に装着する手鏡の実施例４の背面図
【図５】手に装着する手鏡の実施例１の使用例の正面図
【符号の説明】
【００１４】  １  手鏡
５  実施例１の引掛部
６  実施例２の引掛部
７  実施例３の引掛部
８  実施例４の引掛部
１１  折り畳めるように装着した引掛部の端部
１５  スライドさせる為の溝
１６  鏡
【図１】
0003116994.tif 000003
【図２】
0003116994.tif 000004
【図３】
0003116994.tif 000005
【図４】
0003116994.tif 000006
【図５】
0003116994.tif 000007